(57)【特許請求の範囲】
【請求項１】
脚筒部及び胛部よりなるアッパーに接地底を結合し、前記脚筒部に上下方向の分割部を設けて開閉可能とした地下足袋において、
前記胛部の断面形状を拡大する方向に伸びる胛部伸縮素材部を踵部分よりやや前の踝付近に左右一対設け、かつ、前記胛部の内側に伸縮吸収代を備えた裏地を配設したことを特徴とする地下足袋。
【請求項２】
前記脚筒部が前記分割部に取付けたファスナーにより開閉可能に構成されたことを特徴とする請求項１記載の地下足袋。
【請求項３】
前記脚筒部の後方に脚筒部径を拡大する方向に伸びる脚部伸縮素材部を設け、該脚部伸縮素材部の上部周辺に脚筒部径の調整手段を設けたことを特徴とする請求項２記載の地下足袋。
【請求項４】
前記胛部伸縮素材部及び前記脚部伸縮素材部の素材が伸縮性合成皮革であることを特徴とする請求項１から３のいずれかに記載の地下足袋。
【請求項５】
前記脚部伸縮素材の内側に脚筒部径を拡大する方向に伸びる伸縮性弾性織布を配設したことを特徴とする請求項４記載の地下足袋。
【請求項６】
前記調整手段が面状ファスナーであることを特徴とする請求項３から５のいずれかに記載の地下足袋。
【発明の詳細な説明】
【０００１】
【発明の属する技術分野】
本発明は、土木建築作業や農作業などを行う場合に好んで用いられる地下足袋に関する。
【０００２】
【従来の技術】
従来より、建設現場や農作業などの作業用履物として、あるいは、沢登りや祭り用などのレジャー用履物として地下足袋が広く使用されている。地下足袋は、足指のはさみ感覚や足裏の感覚が良く、裸足の感覚に近い履物である。
このような地下足袋は、図２に示す第１従来例のように、脚筒部１１と胛部１２とが一体的に構成されたアッパー１に、ゴム製の接地底２を結合したものであり、脚筒部１１の分割部１３において上下方向に多数配置されたコハゼ１４をかけ糸１５に着脱することで、地下足袋自体を履いたり脱いだりする着脱や脚部などへの密着性（フィット感）を調整するようになっている。
なお、かけ糸１５については、使用者の脚部及び胛部や好みに合わせた密着性の調整ができるようにするため、上下方向に複数列を配列してある。
【０００３】
また、近年においては、多数のコハゼ１４及びかけ糸１５を着脱する操作の煩雑さや、製造時におけるコハゼ１４の縫着作業及びかけ糸１５の取付作業の煩雑さによるコスト高を解消するため、たとえば実開平７−３３０１号公報に記載されているように、脚筒部１１の分割部１３にファスナーを用いた地下足袋が提案されている。このような第２従来例（図３参照）の地下足袋では、コハゼ１４及びかけ糸１５のもつ調整機能に代えて、脚筒部１１に設けたＶ字状の切欠部に弾性糸編織布１６を伸縮自在に縫着した構成となっている。すなわち、弾性糸編織布１６の伸縮性により脚部へのフィット感を得られるようになっている。
【０００４】
【発明が解決しようとする課題】
しかしながら、上述した従来の地下足袋では、胛部の高さに対する調整機能が十分ではないという問題がある。
たとえばコハゼ及びかけ糸で調整する第１従来例の地下足袋では、コハゼ及びかけ糸が足首付近まで設けられているため、ある程度までの調整は可能である。しかし、その調整範囲はそれほど大きなものではないため、胛高用の足型を用いて胛部などの内容積を増したものを、足のサイズとは別に製造して対応しているのが現状である。
また、ファスナー及び弾性糸編織布を用いた第２従来例の地下足袋では、胛高に対する調整機能がほとんどなく、従って、胛部に対するフィット感を増すことが重要な解決課題となっている。
【０００５】
本発明は、上記の事情に鑑みてなされたもので、胛高など形状が異なる足において、胛部に良好なフィット感が得られる地下足袋の提供を目的としている。
また、本発明は、地下足袋を履いたり脱いだりする際の着脱操作性に優れ、しかも、脚部や胛部における良好なフィット感が得られる安価な地下足袋の提供を目的としている。
【０００６】
【課題を解決するための手段】
本発明は、上記課題を解決するため、以下の手段を採用した。
請求項１に記載の地下足袋は、 脚筒部及び胛部よりなるアッパーに接地底を結合し、前記脚筒部に上下方向の分割部を設けて開閉可能とした地下足袋において、前記胛部の断面形状を拡大する方向に伸びる胛部伸縮素材部を踵部分よりやや前の踝付近に左右一対設け、かつ、前記胛部の内側に伸縮吸収代を備えた裏地を配設したことを特徴とするものである。
【０００７】
このような地下足袋によれば、胛部の断面形状を拡大する方向に伸びる胛部伸縮素材部を踵部分よりやや前の踝付近に左右一対設け、かつ、前記胛部の内側に伸縮吸収代を備えた裏地を配設したことにより、胛部への良好なフィット感と、伸縮性を阻害しない肌触りのよい裏地による良好な履き心地を得ることができる。
この場合、前記脚筒部を前記分割部に取付けたファスナーにより開閉可能に構成することにより、胛部への良好なフィット感が得られることに加えて、着脱操作性に優れた地下足袋となる。
このようなファスナーを取付けた地下足袋においては、前記脚筒部の後方に脚筒部径を拡大する方向に伸びる脚部伸縮素材部を設け、該脚部伸縮素材部の上部周辺に脚筒部径の調整手段を設けることが好ましく、これにより、脚部においても良好なフィット感を得ることができる。
【０００８】
そして、上記の地下足袋においては、前記胛部伸縮素材部及び前記脚部伸縮素材部の素材に伸縮性合成皮革を採用することが好ましく、これにより、擦切れに対して丈夫になり、しかも建設現場等によくある針金などの突起物が刺さりにくいというという利点がある。
この場合、前記胛部の内側には伸縮吸収代を備えた裏地を配設し、また、前記脚部伸縮素材部の内側には脚筒部径を拡大する方向に伸びる伸縮性弾性織布を配設するのが好ましく、これにより、伸縮性合成皮革のような伸縮性素材の裏側（足側）に肌触りの良い素材が配置され、伸縮性を阻害せずしかも履き心地のよい地下足袋が得られる。
なお、前記調整手段としては、面状ファスナー（いわゆるマジックテープ）が好ましく、操作性及び調整機能がともに優れたものとなる。
【０００９】
【発明の実施の形態】
以下、本発明に係る地下足袋の一実施形態を、図面に基づいて説明する。
右足用を示す図１において、符号１はアッパー、２は接地底、１１は脚筒部、１２は胛部、１３は分割部、１７はファスナーである。
脚筒部１１は脚部を覆うような筒状をしており、その下端部には足の胛に合わせた空間形状を形成する胛部１２が設けられている。脚筒部１１は上下方向の分割部１３により形成される側面開口部Ｓを備え、その両端部、すなわち脚筒部１１の布製素材両側端部には、上下方向にスライドして側面開口部Ｓの開閉をするファスナー１７が取り付けられている。なお、側面開口部Ｓは脚筒部１１の内側に配置され、右足用と図示省略の左足用とが互いに向き合うように配置して設けられている。
【００１０】
上述した分割部１３の上部には、調整手段としていわゆるマジックテープのような面状ファスナー１８などの脱着係合部が設けられており、履いた状態で脚筒部１１の径を調整できるようになっている。図示の例では、分割部１３の前（爪先）側に舌片１９が取り付けられ、その裏面に貼り付けられた粘着雌面１８ａを分割部１３の後（踵）側に貼り付けられた粘着雄面１８ｂと適当な位置で粘着係合させることで、所望の脚筒径を実現できるようになっている。
【００１１】
また、脚筒部１１の後方、特に踵部分より上部の後方には、脚部伸縮素材部２０が設けられている。この脚部伸縮素材部２０は、脚筒部１１を形成する一般的な布素材（たとえば綿布）を切り欠いて、脚筒部１１の径を拡大する方向に伸びる素材を縫合した部分である。図示の例では、径の大きい脚筒部１１の上部を大きく、かつ、径の小さい下部を小さく切り欠いたあとに、伸縮素材を縫いつけてある。この伸縮素材としては、擦切れにくく丈夫である上、建築現場等によくある針金などの突起物が刺さりにくいという利点があるため、一般に伸縮性合成皮革と呼ばれるものを採用している。
そして、上述した脚部伸縮素材部２０の内側にはさらに、同方向に伸びる伸縮性弾性織布２１を縫いつけてある。この伸縮性織布２１としては、綿素材が含まれる割合を高くして通気性や吸汗性に優れた素材を採用するのが好ましく、フィット性の向上に加えて、脚部伸縮素材部２０の裏地のように機能することで履き心地を向上させることができる。
なお、アッパー１の内側には、全面にわたって綿布などの素材よりなる裏地２２が縫いつけられている。
【００１２】
さて、上述した脚筒部１１の下部には、胛部１２と連なる部分付近に、図示の例では踵部分よりやや前の踝付近に、左右一対の胛部伸縮素材部２３が設けられている。この胛部伸縮素材部２３は、脚筒部１１及び胛部１２の布素材を切り欠いて、適当な幅（２〜３ｃｍ程度）を持ち上下方向に長い（５〜１０ｃｍ程度）細長い形状（ほぼ矩形状）の開口部を接地底２のやや上部から設け、同開口部を覆うようにして、脚部伸縮素材部２０と同様の伸縮素材を縫いつけてある。この場合、伸縮素材の伸縮方向は、胛部１２の断面形状を拡大する方向、すなわち胛高の場合に伸びるように設定されており、おおむね図示の矢印方向となる。
また、この胛部伸縮素材部２３の裏地については、伸縮素材が最大限に伸びた状態と一致するかやや余裕が得られるように大きく裁断したものを使用し、伸縮吸収代を設けてある。
【００１３】
上述したように構成されたアッパー１は、ゴムを成形してなる接地底２が胛部１２の底面部（足裏に相当する面）を塞ぐようにして一体化されることにより、地下足袋の完成品となる。
【００１４】
上述した構成の地下足袋は、使用者が着脱する際、面状ファスナー１８を分離させた後、ファスナー１７を引き下げる。この結果、分割部１３において側面開口部Ｓが開かれるので、足の出し入れ、すなわち地下足袋を履いたり脱いだりすることが容易に実施できるようになる。
ここで、地下足袋を履く場合について説明すると、胛部１２内の所定の位置まで足を入れた後、ファスナー１７を引き上げて側面開口部Ｓを閉じる。この結果、脚部伸縮素材部２０が脚部の太さに応じて伸びるので、良好なフィット感が得られる。さらに、面状ファスナー１８を所望の位置で粘着係合させれば、脚筒部１１の上部においてより一層のフィット感を得ることができる。また、脚部伸縮素材部２０及び脚筒部１１の内面には、裏地及び伸縮性弾性素材部２１が存在するため、履き心地の面でも優れたものとなる。
【００１５】
一方、胛部１２においても、胛部伸縮素材部２３が胛の高さに応じて伸びるので、胛部の低い足から胛高の足まで広範囲にわたって良好なフィット感を与えることができる。また、胛部伸縮素材部２３が伸びた場合には、裏地に設けた伸縮吸収代で対応するので、良好な履き心地とフィット感とを両立することができる。
このように、本発明の地下足袋によれば、ファスナー１７を用いることで着脱を容易にし、しかも安価に製造できるようになる。また、脚部伸縮素材部２０や胛部伸縮素材部２３などを設けたことで、脚部や胛部において良好なフィット感が得られるようになり、履き心地の面でも優れた地下足袋となる。なお、脚部伸縮素材部２０や胛部伸縮素材部２３の内側にも伸縮に追従可能な裏地や伸縮性織布２１を配設してあるので、この点でも良好な履き心地に貢献している。
【００１６】
ところで、上述した本発明の胛部伸縮素材部２３を備えた地下足袋は、図示の実施形態に限定されることはなく、たとえば開口部１３のファスナー１７に代えて、図２に示すようなコハゼ１４及びかけ糸１５を設けた構成の地下足袋への適用も可能である。このような構成とすれば、着脱の煩雑さはあるものの、脚筒部１１のフィット感をきめ細かく調整でき、しかも、胛部における伸縮性も得ることができる。このため、胛部形状が異なる足に対しても広い範囲で良好なフィット感が得られ、胛高専用の足型を用いて胛部の内容積を増したものを別に製造する必要がなくなくなるので、コストの低減に有効である。
なお、上述した本発明は、たとえば２箇所の胛部伸縮素材部２３を胛部上でつなげるなど、胛高の足に対し胛部１２の断面形状を拡大する方向に伸びるものであれば、種々の変形例が可能になることは言うまでもない。
【００１７】
【発明の効果】
上述した本発明の地下足袋によれば、胛部伸縮素材部を設けたことにより、胛の形状が異なる広範囲の足に対して、足のサイズ毎にそれぞれ胛部内容積が一種類の地下足袋を用意（製造）することで、使用者に良好なフィット感を与えることが可能になる。
また、ファスナーの使用により安価で着脱操作性に優れたものとし、また、胛部伸縮素材部や脚部伸縮素材部を設けたことで良好なフィット感を与えることができる。このため、着脱操作性とフィット感とを両立させることができ、しかも伸縮性を妨げない裏地の存在により、履き心地の良い地下足袋を提供することが可能になる。
【図面の簡単な説明】
【図１】本発明に係る地下足袋の一実施形態を示す分解斜視図である。
【図２】地下足袋の第１従来例を示す斜視図である。
【図３】地下足袋の第２従来例を示す斜視図である。
【符号の説明】
１    アッパー
２    接地底
１１    脚筒部
１２    胛部
１３    分割部
１７    ファスナー
１８    面状ファスナー（調整手段）
１９    舌片
２０    脚部伸縮素材部
２１    伸縮性弾性織布
２２    裏地
２３    胛部伸縮素材部
【図１】
0003547689.tif 000002
【図２】
0003547689.tif 000003
【図３】
0003547689.tif 000004